(57)【要約】      （修正有）【課題】簡易な構成により、現像剤担持体の感光体に対する圧接を阻害することなく、第１端子、第２端子および第３端子を確実に電気的に接続して、記憶素子からの情報を制御部によって読み取ることのできる、画像形成装置を提供する。【解決手段】第１筐体に支持される現像剤担持体および記憶素子と電気的に接続される第１端子を備える現像カートリッジと、現像カートリッジが着脱自在に装着される第２筐体、第２筐体に支持される感光体および第２端子を備える感光体ユニットと、感光体ユニットを収容する第３筐体、第３筐体に設けられる制御部、および、制御部と電気的に接続される第３端子を備える本体ユニットとを備えている。現像カートリッジが第２筺体に装着されると、感光体に現像剤担持体が圧接され、第１端子と第２端子が電気的に接続される。【選択図】図１３
0003162417.tif 000002
【実用新案登録請求の範囲】
【請求項１】
現像剤が収容される第１筐体、
前記第１筐体に支持され、現像剤を担持する現像剤担持体、
所定の情報を記憶する記憶素子、および、
前記記憶素子と電気的に接続される第１端子
を備える現像カートリッジと、
前記現像カートリッジが着脱自在に装着される第２筐体、
前記現像カートリッジの前記第２筐体に対する装着時に前記現像剤担持体が圧接され、前記第２筐体に支持される感光体、および、
前記現像剤担持体の前記感光体に対する圧接時に前記第１端子と電気的に接続される第２端子
を備える感光体ユニットと、
前記感光体ユニットを収容する第３筐体、
前記第３筐体に設けられる制御部、および、
前記制御部と電気的に接続され、かつ、前記感光体ユニットの前記第３筐体に対する収容時に前記第２端子と電気的に接続される第３端子
を備える本体ユニットと
を備えていることを特徴とする、画像形成装置。
【請求項２】
前記第１筐体は、前記現像剤担持体を前記感光体に対して圧接させる圧接位置と、前記現像剤担持体の前記感光体に対する圧接を解除する解除位置とに移動する押圧部材を備えており、
前記第１端子は、前記押圧部材に設けられていることを特徴とする、請求項１に記載の画像形成装置。
【請求項３】
前記押圧部材は、一端側が前記第１筐体に回動自在に支持されて、他端側が前記第１筐体に対して近接または離間するように揺動される取っ手であることを特徴とする、請求項２に記載の画像形成装置。
【請求項４】
前記第１端子と前記第２端子とは、圧接時に、前記現像剤担持体の前記感光体に対する圧接方向と交差する方向において、互いに接触することを特徴とする、請求項１ないし３のいずれかに記載の画像形成装置。
【請求項５】
前記第２端子は、前記第１端子に対して、前記現像剤担持体の軸方向と平行する方向において、外側から接触することを特徴とする、請求項４に記載の画像形成装置。
【請求項６】
前記第１端子と前記第２端子とは、圧接時に、それらが交差するように接触することを特徴とする、請求項１ないし５のいずれかに記載の画像形成装置。
【請求項７】
前記第１筐体は、
前記記憶素子と前記第１端子とを接続する配線と、
前記配線の途中に設けられ、前記押圧部材が前記解除位置から前記圧接位置へ移動したときに前記押圧部材から押圧されて前記配線の導通を許容し、前記押圧部材が前記圧接位置から前記解除位置へ移動したときに前記押圧部材からの押圧が解除されて前記配線の導通を遮断する弾性部材と
を備えていることを特徴とする、請求項２または３に記載の画像形成装置。
【請求項８】
前記現像カートリッジおよび前記第２端子は、複数の色に対応して複数設けられており、
各前記現像カートリッジの前記第１端子と各前記第２端子との接触位置が、色ごとに異なる位置に配置されていることを特徴とする、請求項４ないし６のいずれかに記載の画像形成装置。
【請求項９】
現像剤が収容される第１筐体と、
前記第１筐体に支持され、現像剤を担持する現像剤担持体と、
一端側が前記第１筐体に回動自在に支持されて、他端側が前記第１筐体に対して近接または離間するように揺動される取っ手と、
所定の情報を記憶する記憶素子と、
前記記憶素子と電気的に接続され、前記取っ手に設けられる第１端子と
を備えていることを特徴とする、現像カートリッジ。
【請求項１０】
前記取っ手は、前記現像剤担持体の長手方向と平行な方向に延びる把持部と、
前記把持部の長手方向端部に設けられ、前記把持部の長手方向と直交する方向に延びる側部とを備え、
前記第１端子は、前記側部に設けられていることを特徴とする、請求項９に記載の現像カートリッジ。
【請求項１１】
前記第１端子は、前記取っ手の揺動方向に沿って延びるように設けられていることを特徴とする、請求項１０に記載の現像カートリッジ。
【請求項１２】
現像剤が収容される第１筐体と、
前記第１筐体に支持され、現像剤を担持する現像剤担持体と、
一端側が前記第１筐体に回動自在に支持されて、他端側が前記第１筐体に対して近接または離間するように揺動される取っ手と、
所定の情報を記憶する記憶素子と、
前記記憶素子と電気的に接続され、前記取っ手に設けられる第１端子と、
前記記憶素子と前記第１端子とを接続する配線と、
前記配線の途中に設けられ、前記取っ手の他端部が前記第１筐体に対して近接する方向へ揺動したときに前記取っ手から押圧されて前記配線の導通を許容し、前記取っ手の他端部が前記第１筐体に対して離間する方向へ揺動したときに前記取っ手からの押圧が解除されて前記配線の導通を遮断する弾性部材と
を備えていることを特徴とする、現像カートリッジ。
【請求項１３】
請求項９ないし１２のいずれかに記載の現像カートリッジが着脱自在に装着される第２筐体と、
前記現像カートリッジの前記第２筐体に対する装着時に前記現像剤担持体が圧接され、前記第２筐体に支持される感光体と、
前記現像剤担持体の前記感光体に対する圧接時に前記第１端子と電気的に接続される第２端子と
を備えていることを特徴とする、感光体ユニット。
【請求項１４】
前記第２端子は、圧接時に、前記第１端子に対して前記現像剤担持体の前記感光体に対する圧接方向と交差する方向において接触することを特徴とする、請求項１３に記載の感光体ユニット。
【請求項１５】
前記第２端子は、前記第１端子に対して、前記現像剤担持体の軸方向と平行する方向において、外側から接触することを特徴とする、請求項１４に記載の感光体ユニット。
【請求項１６】
前記第２端子は、圧接時に、前記第１端子に対して交差するように接触することを特徴
とする、請求項１３ないし１５のいずれかに記載の感光体ユニット。
【請求項１７】
前記現像カートリッジおよび前記第２端子は、複数の色に対応して複数設けられており、
各前記現像カートリッジの前記第１端子と各前記第２端子との接触位置が、色ごとに異なる位置に配置されていることを特徴とする、請求項１４ないし１６のいずれかに記載の感光体ユニット。
【考案の詳細な説明】
【技術分野】
【０００１】
本考案は、レーザプリンタなどの画像形成装置、その画像形成装置に装備される感光体ユニット、および、その感光体ユニットに装備される現像カートリッジに関する。
【背景技術】
【０００２】
画像形成装置として、プロセスユニットが装置本体に着脱自在に装着されるものが知られている。プロセスユニットは、トナーを収容し、現像ローラが設けられる現像カートリッジと、その現像カートリッジが着脱自在に装着され、感光ドラムが設けられるドラムカートリッジとを備えている。
【０００３】
このような画像形成装置では、画像形成時において、現像ローラを感光ドラムと接触させるために、ドラムカートリッジに装着された現像カートリッジを、感光ドラムに向かって押圧するものが知られている。
【０００４】
たとえば、次のような画像形成装置が提案されている（例えば、特許文献１参照。）。すなわち、本体ケースの左右両側に１対の第１傾斜ガイド部を設け、それら間に配置された１対の第２傾斜ガイド部にてドラムカートリッジの底面を案内する。感光体ドラムの回転中心軸が第１傾斜ガイド部の挿入停止位置に来たときに、ドラムカートリッジの後部を下向きに回動させて、収納部にドラムカートリッジを収納する。収納部に設けた前挟持体と後挟持体と付勢バネとで、現像カートリッジの左右両側に突出する横向きの係合部を挟み、弾力付勢して固定する。
【０００５】
また、このような画像形成装置では、現像カートリッジに、その現像カートリッジの仕様や履歴に関する情報を記憶するメモリを設けて、現像カートリッジが装置本体に装着されたときに、そのメモリに記憶される情報を、装置本体のＣＰＵで読み取ることによって、その現像カートリッジに対応した画像形成処理を実施するものが知られている。
【０００６】
たとえば、次のような画像形成装置が提案されている（例えば、特許文献２参照。）。すなわち、画像形成装置は、像担持体上に形成された潜像を現像するために、それぞれ異なる色の現像剤を収容した現像手段を有する複数個のカートリッジが着脱可能とされる。各カートリッジに記憶手段を設け、１つのカートリッジを使用して単色で画像形成を行うときは、単色で画像形成したことを、その他の非印字色のカートリッジの記憶手段に記憶する。
【特許文献１】特開２００３−８４６４７号公報
【特許文献２】特開２００１−２１５８６２号公報
【考案の概要】
【考案が解決しようとする課題】
【０００７】
しかるに、上記した画像形成装置において、現像カートリッジを感光ドラムに向かって押圧するときには、感光ドラムの良好な現像を確保すべく、現像ローラの感光ドラムに対する押圧力を均一にする必要がある。
【０００８】
一方、現像カートリッジのメモリを装置本体のＣＰＵで読み取るためには、現像カートリッジが装置本体に装着されたときに、メモリ側の端子とＣＰＵ側の端子とを互いに押圧させて、それらを確実に接触させる必要がある。
【０００９】
しかし、それらを接触させるための押圧力が、現像ローラの感光ドラムに対する押圧力
に影響を及ぼすと、現像ローラの感光ドラムに対する押圧力が不安定となり、良好な現像ができなくなるおそれがある。
【００１０】
本考案の目的は、簡易な構成により、現像剤担持体の感光体に対する圧接を阻害することなく、第１端子、第２端子および第３端子を確実に電気的に接続して、記憶素子からの情報を制御部によって読み取ることのできる、画像形成装置、その画像形成装置に装備される感光体ユニット、および、その感光体ユニットに装備される現像カートリッジを提供することにある。
【課題を解決するための手段】
【００１１】
上記目的を達成するため、請求項１に記載の考案は、画像形成装置であって、現像剤が収容される第１筐体、前記第１筐体に支持され、現像剤を担持する現像剤担持体、所定の情報を記憶する記憶素子、および、前記記憶素子と電気的に接続される第１端子を備える現像カートリッジと、前記現像カートリッジが着脱自在に装着される第２筐体、前記現像カートリッジの前記第２筐体に対する装着時に前記現像剤担持体が圧接され、前記第２筐体に支持される感光体、および、前記現像剤担持体の前記感光体に対する圧接時に前記第１端子と電気的に接続される第２端子を備える感光体ユニットと、前記感光体ユニットを収容する第３筐体、前記第３筐体に設けられる制御部、および、前記制御部と電気的に接続され、かつ、前記感光体ユニットの前記第３筐体に対する収容時に前記第２端子と電気的に接続される第３端子を備える本体ユニットとを備えていることを特徴としている。
【００１２】
請求項２に記載の考案は、請求項１に記載の考案において、前記第１筐体は、前記現像剤担持体を前記感光体に対して圧接させる圧接位置と、前記現像剤担持体の前記感光体に対する圧接を解除する解除位置とに移動する押圧部材を備えており、前記第１端子は、前記押圧部材に設けられていることを特徴としている。
【００１３】
請求項３に記載の考案は、請求項２に記載の考案において、前記押圧部材は、一端側が前記第１筐体に回動自在に支持されて、他端側が前記第１筐体に対して近接または離間するように揺動される取っ手であることを特徴としている。
【００１４】
請求項４に記載の考案は、請求項１ないし３のいずれかに記載の考案において、前記第１端子と前記第２端子とは、圧接時に、前記現像剤担持体の前記感光体に対する圧接方向と交差する方向において、互いに接触することを特徴としている。
【００１５】
請求項５に記載の考案は、請求項４に記載の考案において、前記第２端子は、前記第１端子に対して、前記現像剤担持体の軸方向と平行する方向において、外側から接触することを特徴としている。
【００１６】
請求項６に記載の考案は、請求項１ないし５のいずれかに記載の考案において、前記第１端子と前記第２端子とは、圧接時に、それらが交差するように接触することを特徴としている。
【００１７】
請求項７に記載の考案は、請求項２または３に記載の考案において、前記第１筐体は、前記記憶素子と前記第１端子とを接続する配線と、前記配線の途中に設けられ、前記押圧部材が前記解除位置から前記圧接位置へ移動したときに前記押圧部材から押圧されて前記配線の導通を許容し、前記押圧部材が前記圧接位置から前記解除位置へ移動したときに前記押圧部材からの押圧が解除されて前記配線の導通を遮断する弾性部材とを備えていることを特徴としている。
【００１８】
請求項８に記載の考案は、請求項４ないし６のいずれかに記載の考案において、前記現
像カートリッジおよび前記第２端子は、複数の色に対応して複数設けられており、各前記現像カートリッジの前記第１端子と各前記第２端子との接触位置が、色ごとに異なる位置に配置されていることを特徴としている。
【００１９】
請求項９に記載の考案は、現像カートリッジであって、現像剤が収容される第１筐体と、前記第１筐体に支持され、現像剤を担持する現像剤担持体と、一端側が前記第１筐体に回動自在に支持されて、他端側が前記第１筐体に対して近接または離間するように揺動される取っ手と、所定の情報を記憶する記憶素子と、前記記憶素子と電気的に接続され、前記取っ手に設けられる第１端子とを備えていることを特徴としている。
【００２０】
請求項１０に記載の考案は、請求項９に記載の考案において、前記取っ手は、前記現像剤担持体の長手方向と平行な方向に延びる把持部と、前記把持部の長手方向端部に設けられ、前記把持部の長手方向と直交する方向に延びる側部とを備え、前記第１端子は、前記側部に設けられていることを特徴としている。
【００２１】
請求項１１に記載の考案は、請求項１０に記載の考案において、前記第１端子は、前記取っ手の揺動方向に沿って延びるように設けられていることを特徴としている。
【００２２】
請求項１２に記載の考案は、現像カートリッジであって、現像剤が収容される第１筐体と、前記第１筐体に支持され、現像剤を担持する現像剤担持体と、一端側が前記第１筐体に回動自在に支持されて、他端側が前記第１筐体に対して近接または離間するように揺動される取っ手と、所定の情報を記憶する記憶素子と、前記記憶素子と電気的に接続され、前記取っ手に設けられる第１端子と、前記記憶素子と前記第１端子とを接続する配線と、前記配線の途中に設けられ、前記取っ手の他端部が前記第１筐体に対して近接する方向へ揺動したときに前記取っ手から押圧されて前記配線の導通を許容し、前記取っ手の他端部が前記第１筐体に対して離間する方向へ揺動したときに前記取っ手からの押圧が解除されて前記配線の導通を遮断する弾性部材とを備えていることを特徴としている。
【００２３】
請求項１３に記載の考案は、感光体ユニットであって、請求項９ないし１２のいずれかに記載の現像カートリッジが着脱自在に装着される第２筐体と、前記現像カートリッジの前記第２筐体に対する装着時に前記現像剤担持体が圧接され、前記第２筐体に支持される感光体と、前記現像剤担持体の前記感光体に対する圧接時に前記第１端子と電気的に接続される第２端子とを備えていることを特徴としている。
【００２４】
請求項１４に記載の考案は、請求項１３に記載の考案において、前記第２端子は、圧接時に、前記第１端子に対して前記現像剤担持体の前記感光体に対する圧接方向と交差する方向において接触することを特徴としている。
【００２５】
請求項１５に記載の考案は、請求項１４に記載の考案は、前記第２端子は、前記第１端子に対して、前記現像剤担持体の軸方向と平行する方向において、外側から接触することを特徴としている。
【００２６】
請求項１６に記載の考案は、請求項１３ないし１５のいずれかに記載の考案において、前記第２端子は、圧接時に、前記第１端子に対して交差するように接触することを特徴としている。
【００２７】
請求項１７に記載の考案は、請求項１４ないし１６のいずれかに記載の考案において、前記現像カートリッジおよび前記第２端子は、複数の色に対応して複数設けられており、各前記現像カートリッジの前記第１端子と各前記第２端子との接触位置が、色ごとに異なる位置に配置されていることを特徴としている。
【考案の効果】
【００２８】
請求項１に記載の考案によると、現像カートリッジの第２筐体に対する装着時には、現像剤担持体が感光体に圧接される。また、現像剤担持体の感光体に対する圧接時には、第１端子と第２端子とが電気的に接続される。つまり、第１端子と第２端子とは、現像剤担持体の感光体に対する圧接によって電気的に接続される。そのため、第１端子と第２端子との電気的な接続に起因して、現像剤担持体の感光体に対する圧接が阻害されることがなく、現像剤担持体の感光体に対する良好な現像を達成することができる。また、簡易な構成により、第１端子および第２端子を確実に電気的に接続し、さらには、感光体ユニットの第３筐体に対する収容時に第２端子および第３端子を確実に電気的に接続して、記憶素子からの情報を制御部によって確実に読み取ることができる。
【００２９】
請求項２に記載の考案によると、第１端子が押圧部材に設けられている。そのため、押圧部材を解除位置から圧接位置へ移動させれば、第１端子の第２端子に対する電気的な接続を確実に図ることができる。また、押圧部材を圧接位置から解除位置へ移動させれば、第１端子の第２端子に対する電気的な接続の解除を確実に図ることができる。その結果、押圧部材を解除位置と圧接位置とに移動させる簡易な操作により、第１端子の第２端子に対する電気的な接続およびその解除を確実に図ることができる。
【００３０】
請求項３に記載の考案によると、取っ手を掴んで、他端側を第１筐体に対して近接させれば、第１端子と第２端子とを電気的に接続することができ、他端側を第１筐体に対して離間させれば、第１端子と第２端子との電気的な接続を解除することができる。その結果、簡易な操作により、第１端子の第２端子に対する電気的な接続およびその解除を確実に図ることができる。
【００３１】
さらに、押圧部材が取っ手であると、押圧部材と取っ手とをそれぞれ設ける場合と比較して、部品点数の低減を図ることができる。
【００３２】
請求項４および１４に記載の考案によると、第１端子と第２端子とが、圧接時において圧接方向と交差する方向において互いに接触する。そのため、第１端子と第２端子との接触が、現像剤担持体の感光体に対する圧接に影響を与えることを防止することができる。その結果、現像剤担持体の感光体に対する良好な現像を達成することができる。
【００３３】
請求項５および１５に記載の考案によると、第２端子が、第１端子に対して、現像剤担持体の軸方向と平行する方向において外側から接触する。そのため、第２端子の第１端子に対する確実な接触を図ることができる。
【００３４】
請求項６および１６に記載の考案によると、第１端子と第２端子とが交差するように接触する。たとえば、第１端子と第２端子とが同一方向で接触する場合には、それらが互いに少しでも位置ずれすると接触しない場合がある。しかし、このように、第１端子と第２端子とを交差するように接触させれば、それらが互いに少し位置ずれしても、互いの接触を確保することができる。
【００３５】
請求項７に記載の考案によると、押圧部材を解除位置から圧接位置へ移動させれば、弾性部材が押圧されて、配線が導通される。それによって、第１端子と第２端子との電気的な接続を図ることができる。また、押圧部材を圧接位置から解除位置へ移動させれば、弾性部材の押圧が解除されて、配線の導通が遮断される。それによって、第１端子と第２端子との電気的な接続を遮断することができる。その結果、簡易な操作により、第１端子の第２端子に対する電気的な接続およびその解除を確実に図ることができる。
【００３６】
請求項８および１７に記載の考案によると、各第１端子と各第２端子との接触位置が、色ごとに異なる位置に配置されている。そのため、ある色に対応する第２端子に対して、異なる色に対応する現像カートリッジが装着されたときには、その現像カートリッジの第１端子は、第２端子に対して異なる位置に配置されて、それらの接触が防止される。その結果、誤って、異なる色に対応する現像カートリッジが装着されたときの、第１端子と第２端子との電気的な接続を、簡易かつ確実に防止することができる。
【００３７】
請求項９に記載の考案によると、取っ手を掴んで、他端側を第１筐体に対して近接または離間させれば、第１端子を異なる位置に配置することができる。そのため、他端側の第１筐体に対する近接位置または解除位置のいずれか一方において、第１端子を電気的に接続できるようにしておけば、取っ手を揺動させる簡易な操作により、第１端子の電気的な接続およびその解除を図ることができる。さらに、取っ手に第１端子を設けておけば、第１端子の支持部材と取っ手とをそれぞれ設ける場合と比較して、部品点数の低減を図ることができる。
【００３８】
請求項１０に記載の考案によると、第１端子は、把持部に対して、把持部の長手方向と直交する方向に延びる側部に設けられている。そのため、把持部を操作するときに、把持手が第１端子に接触することを防止することができる。
【００３９】
請求項１１に記載の考案によると、第１端子が取っ手の揺動方向に沿って設けられている。そのため、取っ手を揺動させたときに、第１端子を一定の位置でかつ広い範囲で電気的に接触させることができる。その結果、第１端子の電気的な接続を確実に図ることができる。
【００４０】
請求項１２に記載の考案によると、取っ手を第１筐体に対して近接する方向へ揺動させれば、弾性部材が押圧されて、配線が導通される。それによって、第１端子の電気的な接続を図ることができる。また、取っ手を第１筐体に対して離間する方向へ揺動させれば、弾性部材の押圧が解除されて、配線の導通が遮断される。それによって、第１端子の電気的な接続を遮断することができる。その結果、簡易な操作により、第１端子の電気的な接続およびその解除を確実に図ることができる。
【００４１】
請求項１３に記載の考案によると、現像カートリッジの第２筐体に対する装着時には、現像剤担持体が感光体に圧接される。また、現像剤担持体の感光体に対する圧接時には、第１端子と第２端子とが電気的に接続される。つまり、第１端子と第２端子とは、現像剤担持体の感光体に対する圧接によって電気的に接続される。そのため、第１端子と第２端子との電気的な接続に起因して、現像剤担持体の感光体に対する圧接が阻害されることがなく、現像剤担持体の感光体に対する良好な現像を達成することができる。また、簡易な構成により、第１端子および第２端子を確実に電気的に接続することができる。
【図面の簡単な説明】
【００４２】
【図１】画像形成装置であるカラーレーザプリンタの一実施形態を示す側断面図である。
【図２】現像カートリッジの斜視図である。
【図３】現像カートリッジの正面図である。
【図４】現像カートリッジの左側面図である。
【図５】現像カートリッジの右側面図である。
【図６】現像カートリッジの断面図（無押圧状態）である。
【図７】現像カートリッジの断面図（押圧状態）である。
【図８】ドラムユニットの平面図である。
【図９】ドラムユニットの左側面図である。
【図１０】左側のサイドフレームの、カートリッジガイド溝よりも前側の部分の右側面図である。
【図１１】ドラムユニット（現像カートリッジの着脱途中状態）を左前上方から見た斜視図である。
【図１２】現像カートリッジ（取っ手が解除位置にある状態）が装着状態にあるドラムユニットの左側面図である。
【図１３】現像カートリッジ（取っ手が圧接位置にある状態）が装着状態にあるドラムユニットの左側面図である。
【図１４】ドラムユニットの本体ケーシングに対する装着途中状態を、左前方から見た斜視図である。
【図１５】現像カートリッジの他の実施形態の断面図（無押圧状態）である。
【図１６】現像カートリッジの他の実施形態の断面図（押圧状態）である。
【考案を実施するための最良の形態】
【００４３】
１．カラーレーザプリンタの全体構成
図１は、画像形成装置であるカラーレーザプリンタの一実施形態を示す側断面図である。なお、図１において、後述する取っ手１０３の図示は省略されている。
【００４４】
このカラーレーザプリンタ１は、後述する複数の感光ドラム２９が水平方向において並列的に配置される、横置きタイプのタンデム型カラーレーザプリンタである。カラーレーザプリンタ１は、本体ユニットをなし第３筐体の一例としての本体ケーシング２内に、用紙３を給紙するための給紙部４と、給紙された用紙３に画像を形成するための画像形成部５と、画像が形成された用紙３を排紙するための排紙部６とを備えている。
【００４５】
（１）本体ケーシング
本体ケーシング２は、側面視略矩形状のボックス形状に形成され、その内部に、後述するドラムユニット２６を収容するドラム収容空間７が形成されている。
【００４６】
本体ケーシング２の一方側の側面（前面）には、フロントカバー８が設けられている。このフロントカバー８は、本体ケーシング２の前方に傾倒して、ドラム収容空間７を開放し、本体ケーシング２の前面に沿って起立して、ドラム収容空間７を閉鎖する。ドラム収容空間７を開放すると、そのドラム収容空間７に対して、ドラムユニット２６を着脱させることができる。
【００４７】
なお、以下の説明において、フロントカバー８が設けられる一方側（図１における右側）を前側とし、その反対側（図１における左側）を後側とする。また、このカラーレーザプリンタ１を前側から見たときを基準として左右を規定する。さらに、ドラムユニット２６および現像カートリッジ２７に関しても、特に言及がない限り、本体ケーシング２に装着されている状態を基準として前後左右上下を規定する。
【００４８】
（２）給紙部
給紙部４は、本体ケーシング２内の底部に着脱自在に装着される給紙トレイ９を備えている。給紙トレイ９の前端部上方には、給紙ローラ１２が配置されている。また、給紙部４は、給紙トレイ９の前端部上方と後述する搬送ベルト５８との間に形成される略Ｕ字状の給紙パス１３を備えている。この給紙パス１３上には、分離ローラ１０、分離パッド１１、紙粉取りローラ１５、ピンチローラ１６および１対のレジストローラ１７が設けられている。
【００４９】
給紙ローラ１２の回転により、給紙トレイ９にスタックされている用紙３が給紙パス１３に送り出される。その後、用紙３は、分離ローラ１０と分離パッド１１との間で１枚ご
とに捌かれる。そして、その用紙３は、紙粉取りローラ１５とピンチローラ１６との間を通過し、紙粉取りローラ１５により紙粉が除去された後、レジストローラ１７へ搬送される。レジストローラ１７は、用紙３を、レジスト後に、後述する搬送ベルト５８上に向けて送り出す。
【００５０】
（３）画像形成部
画像形成部５は、スキャナ部２０、プロセス部２１、転写部２２および定着部２３を備えている。
【００５１】
（３−１）スキャナ部
スキャナ部２０は、本体ケーシング２の上部に配置されている。このスキャナ部２０は、スキャナユニット２５と、本体ケーシング２の上部に固定され、スキャナユニット２５を収容するスキャナケーシング２４とを備えている。
【００５２】
スキャナユニット２５内には、たとえば、４つの光源、ポリゴンミラー、ｆθレンズ、反射鏡、面倒れ補正レンズなどの光学部材が設けられている。各光源から発光される画像データに基づくレーザビームは、ポリゴンミラーで偏向および走査されて、ｆθレンズおよび面倒れ補正レンズを通過し、また、反射鏡で反射された後、後述する各色の感光ドラム２９の表面上に高速走査にて照射される。
【００５３】
（３−２）プロセス部
プロセス部２１は、スキャナ部２０の下方であって、給紙部４の上方に配置されており、１つの感光体ユニットとしてのドラムユニット２６と、各色に対応する４つの現像カートリッジ２７とを備えている。
【００５４】
（３−２−１）ドラムユニット
ドラムユニット２６は、各色に対応して、第２筐体の一例として、４つのドラムサブユニット２８を備えている。すなわち、ドラムサブユニット２８は、ブラックドラムサブユニット２８Ｋ、イエロードラムサブユニット２８Ｙ、マゼンタドラムサブユニット２８Ｍおよびシアンドラムサブユニット２８Ｃを備えており、これらが前側から後側に向かって、互いに間隔を隔てて順次配置されている。
【００５５】
各ドラムサブユニット２８は、後述するように、１対のサイドフレーム１３４と、これらの間に架設されるセンタフレーム１３５とを備えている（図８参照）。
【００５６】
各ドラムサブユニット２８は、感光体の一例としての感光ドラム２９と、スコロトロン型帯電器３０と、クリーニングブラシ３１とを支持している。
【００５７】
感光ドラム２９は、左右方向に沿って１対のサイドフレーム１３４に支持され、その中心軸線まわりに回転自在に設けられている。
【００５８】
スコロトロン型帯電器３０は、センタフレーム１３５に支持され、感光ドラム２９の斜め後側上方に、感光ドラム２９と間隔を隔てて対向配置されている。
【００５９】
クリーニングブラシ３１は、感光ドラム２９の後方において、センタフレーム１３５に支持され、感光ドラム２９と対向して接触するように配置されている。
【００６０】
（３−２−２）現像カートリッジ
現像カートリッジ２７は、各色に対応するドラムサブユニット２８に対応して、それぞれ着脱自在に設けられている。
【００６１】
すなわち、ブラックドラムサブユニット２８Ｋに対応して、ブラック現像カートリッジ２７Ｋが設けられている。イエロードラムサブユニット２８Ｙに対応して、イエロー現像カートリッジ２７Ｙが設けられている。マゼンタドラムサブユニット２８Ｍに対応して、マゼンタ現像カートリッジ２７Ｍが設けられている。シアンドラムサブユニット２８Ｃに対応して、シアン現像カートリッジ２７Ｃが設けられている。
【００６２】
各現像カートリッジ２７は、第１筐体の一例としての現像フレーム３６と、その現像フレーム３６内に設けられる、アジテータ３７、供給ローラ３８、現像剤担持体の一例としての現像ローラ３９および層厚規制ブレード４０とを備えている。
【００６３】
現像フレーム３６は、下端部に開口部４１（図４参照）が形成されるボックス形状に形成されている。現像フレーム３６内は、上側のトナー収容室４３と下側の現像室４４とに区画されている。トナー収容室４３と現像室４４とは連通されている。
【００６４】
トナー収容室４３には、ブラック、イエロー、マゼンタおよびシアンの各色に対応する現像剤の一例としてのトナー、具体的には、正帯電性の非磁性１成分の重合トナーが、それぞれ収容されている。
【００６５】
アジテータ３７は、トナー収容室４３に配置され、左右方向に沿って回転自在に設けられている。
【００６６】
供給ローラ３８は、現像室４４内において、前側上方に配置されている。
【００６７】
現像ローラ３９は、現像室４４内において、供給ローラ３８の斜め後側下方に配置されている。現像ローラ３９は、現像フレーム３６に左右方向に沿って回転自在に支持される金属製の現像ローラ軸５１と、その現像ローラ軸５１の周りを被覆する導電性のゴムからなるゴムローラ５２とを備えている。ゴムローラ５２の下側は、開口部４１から露出され、その上側が、供給ローラ３２に弾性的に圧接されている。
【００６８】
層厚規制ブレード４０は、現像室４４内に配置されている。層厚規制ブレード４０は、金属製の板バネ部材の下端にゴム部材を備えている。板バネ部材の上端が現像フレーム３６に固定され、ゴム部材がゴムローラ５２を上方から押圧している。
【００６９】
（３−２−３）プロセス部での現像動作
各現像カートリッジ２７では、トナー収容室４３に収容されているトナーが、アジテータ３７によって攪拌されながら、自重によって現像室４４へ放出される。
【００７０】
その後、トナーは、供給ローラ３８に供給され、さらに、供給ローラ３８の回転により、現像ローラ３９に供給される。このとき、供給ローラ３８と、現像バイアスが印加されている現像ローラ３９との間で正極性に摩擦帯電される。
【００７１】
その後、トナーは、現像ローラ３９の回転に伴って、層厚規制ブレード３４によって現像ローラ３９から余分なトナーが掻き落とされ、一定厚さの薄層として現像ローラ３９の表面に担持される。
【００７２】
一方、各現像カートリッジ２７に対応するドラムサブユニット２８では、スコロトロン型帯電器３０のコロナ放電により、感光ドラム２９の表面が一様に正帯電される。
【００７３】
そして、その正帯電した感光ドラム２９の表面に、スキャナ部２０からのレーザビーム
が照射されることにより、用紙３に形成すべき画像に対応した静電潜像が形成される。
【００７４】
感光ドラム２９の回転により、感光ドラム２９の表面に形成されている静電潜像が現像ローラ３９と対向すると、現像ローラ３９の表面に担持されているトナーが、その静電潜像（つまり、一様に正帯電されている感光ドラム２９の表面のうち、レーザビームによって露光され電位が下がっている部分）に供給される。これにより、静電潜像が可視像化され、感光ドラム２９の表面にトナー像が担持される。
【００７５】
（３−３）転写部
転写部２２は、本体ケーシング２内において、給紙部４の上方であって、プロセス部２１の下方に配置されている。転写部２２は、駆動ローラ５６、従動ローラ５７、搬送ベルト５８および転写ローラ５９を備えている。
【００７６】
駆動ローラ５６および従動ローラ５７は、前後方向に互いに間隔を隔てて対向配置されている。搬送ベルト５８は、エンドレスベルトからなり、駆動ローラ５６と従動ローラ５７との間に巻回されている。
【００７７】
駆動ローラ５６が回転されると、搬送ベルト５８が、駆動ローラ５６および従動ローラ５７の間を、各感光ドラム２９と対向して接触する転写位置において、感光ドラム２９と同方向に回転するように周回移動する。
【００７８】
転写ローラ５９は、巻回されている搬送ベルト５８内において、各感光ドラム２９と搬送ベルト５８を挟んで、それぞれ対向配置されている。各転写ローラ５９は、搬送ベルト５８と対向して接触する転写位置において、搬送ベルト５８の周回移動方向と同方向に従動回転する。
【００７９】
給紙部４から給紙された用紙３は、搬送ベルト５８によって、前側から後側に向かって搬送され、各感光ドラム２９に対応する転写位置を順次通過する。そして、用紙３が各転写位置を通過するとき、転写ローラ５９に印加される転写バイアスにより、感光ドラム２９のトナー像が用紙３に転写される。これにより、用紙３にカラー像が形成される。
【００８０】
なお、転写後に感光ドラム２９に付着する用紙３からの紙粉は、クリーニングブラシ３１によって回収される。
【００８１】
（３−４）定着部
定着部２３は、転写部２２の後方に配置されており、加熱ローラ６５と、その加熱ローラ６５を加圧する加圧ローラ６６とを備えている。
【００８２】
定着部２３において、用紙３に転写されたカラー像は、用紙３が加熱ローラ６５と加圧ローラ６６との間を通過する間に、加熱および加圧されることによって、用紙３に熱定着される。
【００８３】
（４）排紙部
排紙部６は、前方に向かって開放される略Ｃ字状の排紙パス６７を備えている。この排紙パス６７上には、搬送ローラ６８、ピンチローラ６９および１対の排紙ローラ７０が設けられている。
【００８４】
定着部２３から搬送される用紙３は、搬送ローラ６８およびピンチローラ６９により排紙パス６７に沿って搬送され、排紙ローラ７０によって、本体ケーシング２の上面に形成された排紙トレイ７１上に排紙される。
【００８５】
２．現像カートリッジ
図２は、現像カートリッジの斜視図、図３は、現像カートリッジの正面図、図４は、現像カートリッジの左側面図、図５は、現像カートリッジの右側面図、図６は、現像カートリッジの断面図（無押圧状態）、図７は、現像カートリッジの断面図（押圧状態）を示す。次に、図３ないし図７を参照して、現像カートリッジについて詳述する。
【００８６】
（１）現像フレーム
現像フレーム３６は、図２および図４に示し、上記したように、下端部に開口部４１が形成されるボックス形状に形成されている。現像フレーム３６は、図２および図３に示すように、幅方向に間隔を隔てて対向する１対の側壁８３と、両側壁８３の上端縁間に架設される上壁８４と、両側壁８３の前端縁間に架設される前壁８１と、両側壁８３の後端縁間に架設される後壁８２とを一体的に備えている。開口部４１は、両側壁８３、前壁８１および後壁８２の下端縁により区画されている。
【００８７】
現像フレーム３６の両側壁８３には、現像ローラ軸５１が回転自在に支持されている。現像ローラ軸５１の軸方向両端部は、両側壁８３から、幅方向両側へ突出するように設けられている。また、現像ローラ軸５１の軸方向両端部には、導電性のカラー部材８５が被覆されている。
【００８８】
また、現像フレーム３６の左側の側壁８３には、図４に示すように、図示しないギヤ機構部と、そのギヤ機構部を被覆するギヤカバー８６とが設けられている。
【００８９】
ギヤ機構部（図示せず）は、駆動力が入力されるカップリング受動ギヤ８７、現像カートリッジ２２の新旧を判断するための検知ギヤ８８、および、駆動力をアジテータ３７、供給ローラ３８、現像ローラ３９および検知ギヤ８８へ伝達するためのギヤトレイン（図示せず）を備えている。
【００９０】
ギヤカバー８６は、カップリング受動ギヤ８７および検知ギヤ８８を露出させ、かつ、ギヤトレインを被覆するように、左側の側壁８３に設けられている。
【００９１】
また、現像フレーム３６の右側の側壁８３には、図５に示すように、導電性の給電部材８９が設けられている。給電部材８９は、現像ローラ軸５１を軸受けし、幅方向外方に突出する接点板９０を一体的に備えている。接点板９０には、現像バイアスが印加され、その現像バイアスは、給電部材８９を介して、現像ローラ軸５１に印加される。
【００９２】
また、現像フレーム３６の前壁８１には、図３に示すように、その左右方向両端部において、位置決め突部９２が設けられている。この位置決め突部９２は、側面視略台形状をなし（図４および図５参照）、前壁８１から前方に向かって突出するように形成されている。
【００９３】
（２）着脱操作部
現像フレーム３６には、図２に示すように、現像カートリッジ２７を着脱させるための着脱操作部１００が設けられている。
【００９４】
この着脱操作部１００は、現像フレーム３６の上壁８４に設けられている。着脱操作部１００は、上壁８４に固定されている被押圧部１０１（図３参照）と、上壁８４に揺動自在に設けられている押圧部材の一例としての取っ手１０３とを備えている。
【００９５】
（２−１）被押圧部
被押圧部１０１は、図３および図６に示すように、上壁８４の前端部において、幅方向（現像ローラ３９の軸方向と平行する方向）の両端部にそれぞれ設けられている。被押圧部１０１は、バネ収容筒部１０５、バネ１０２および当接部材１０７を備えている。
【００９６】
バネ収容筒部１０５は、円筒形状をなし、上壁８４から上方に突出するように形成されている。また、バネ収容筒部１０５には、バネ収容筒部１０５の下端部から上下方向途中まで延びる係止溝１０６が、周方向に間隔を隔てて複数形成されている。
【００９７】
また、バネ収容筒部１０５内には、バネ収容筒部１０５の内径よりも小径に形成される取付ボス１１１が設けられている。取付ボス１１１は、円筒形状をなし、上壁８４から上方に突出するように形成されている。
【００９８】
バネ１０２は、コイルバネ（圧縮バネ）からなり、バネ収容筒部１０５の内周面と取付ボス１１１との間に挿入され、バネ収容筒部１０５内の下部に配置されている。
【００９９】
当接部材１０７は、ボス部１０８と、そのボス部１０８の上端部から径方向に膨出する頭部１０９とを一体的に備えている。また、頭部１０９の周端部には、係止溝１０６に対応して、下方に延びる鉤状の爪部１１０が一体的に複数形成されている。
【０１００】
当接部材１０７では、ボス部１０８が、バネ収容筒部１０５内の上部において、バネ１０２の上に配置され、頭部１０９が、バネ収容筒部１０５の上に配置され、爪部１１０が、バネ収容筒部１０５の係止溝１０６に上下方向にスライド自在に係止されている。
【０１０１】
当接部材１０７は、常には、バネ１０２によって上方に付勢される一方で、爪部１１０が係止溝１０６の上端部に係止されており、これによって、当接部材１０７のバネ収容筒部１０５からの離脱が防止されている。
【０１０２】
（２−２）取っ手
取っ手１０３は、図２に示すように、幅方向に延びる薄板形状の、把持部の一例としての把持板１１２と、把持板１１２の幅方向両端部に設けられ、把持板１１２の長手方向と直交する方向に延びる、側部の一例としての側板１１６とを、一体的に備えている。
【０１０３】
把持板１１２の幅方向中央部には、幅方向に延びる平面視略細長矩形状の把持孔１１５が形成されている。把持孔１１５には、現像カートリッジ２７の着脱操作時に把持手が挿入され、取っ手１０３が把持される。
【０１０４】
把持板１１２の下面（上壁８４との対向面）には、図６に示すように、上壁８４の幅方向内方であって各被押圧部１０１との対向位置に、凹部１２１がそれぞれ形成されている。凹部１２１は、当接部材１０７を受け入れることができる背面視略円形状に形成されている。
【０１０５】
把持板１１２の幅方向両端部近傍には、図２に示すように、後端縁から前方に向かって平面視略矩形状に切り欠かれる切欠部１１３が形成されている。切欠部１１３の両内側壁には、互いに近接する方向（幅方向内側方向）に向かって突出する、弾性変形可能な回動軸１１４が、それぞれ突出されている（図６参照）。
【０１０６】
一方、上壁８４の後端部には、その幅方向両端部に、切欠部１１３に対応して、２つの取っ手支持部１２２が設けられている。取っ手支持部１２２は、幅方向に沿う貫通孔１２３が形成される側面視略Ｕ字状をなし（図６参照）、幅方向に延びるように形成されている。
【０１０７】
そして、取っ手１０３は、回動軸１１４を取っ手支持部１２２に当接させ、弾性変形させつつ貫通孔１２３に嵌合させることにより、現像フレーム３６の上壁８４に対して、幅方向を回動軸線として回転自在に支持される。
【０１０８】
これによって、取っ手１０３は、後端側が上壁８４に回動自在に支持されて、前端側が上壁８４に対して近接または離間するように、揺動される。そして、取っ手１０３を下方前側方向（後述する圧接方向）に揺動させると、取っ手１０３は、上壁８４に近接して、取っ手１０３の各凹部１２１が各当接部材１０７に圧接する圧接位置に配置される。また、取っ手１０３を後側上方方向（後述する押圧解除方向）に揺動させると、取っ手１０３は、取っ手１０３の各凹部１２１が各当接部材１０７から離間して、各凹部１２１の各当接部材１０７に対する圧接が解除される解除位置に配置される。
【０１０９】
側板１１６は、把持板１１２の幅方向両端縁から、その幅方向と直交方向の下方に向かって（具体的には上壁８４側に向かって揺動する方向に）屈曲するように形成されている。側板１１６は、側面視扇状をなし、その下端部には、嵌合突起１０４が設けられている。
【０１１０】
嵌合突起１０４は、図４および図５に示すように、下方に向かって幅狭となる側面視略三角形状をなし、側板１１６の下端部から、幅方向外側に向かって突出するように設けられている。
【０１１１】
嵌合突起１０４には、図３に示すように、その前端部および後端部に、それぞれ前方または後方に向かって幅方向内側へ傾斜する前側傾斜面１１７および後側傾斜面１１８が形成されている。さらに、嵌合突起１０４の上端部には、側面視において、前後方向中央部から、それぞれ前後方向両外方に向かって下方に傾斜する前端面１１９および後端面１２０が形成されている。
【０１１２】
（３）ＩＣメモリおよび第１端子
現像フレーム３６には、図２および図４に示すように、記憶素子の一例としてのＩＣメモリ１２５および第１端子１２６が設けられている。
【０１１３】
ＩＣメモリ１２５は、図２に示すように、略矩形薄板形状をなし、把持板１１２の上面の左側端部に埋設されている。ＩＣメモリ１２５には、現像カートリッジ２７の所定の情報、たとえば、画像形成動作の回数（印字枚数）や現像カートリッジ２７に固有のＩＤコードなどが記憶されている。
【０１１４】
第１端子１２６は、図４に示すように、平板電極からなり、左側の側板１１６に設けられ、取っ手１０３の揺動方向に沿って細長く延びる円弧形状に形成されている。
【０１１５】
第１端子１２６は、左側の側板１１６において、各色ごとに異なる位置に配置されている。具体的には、ブラック現像カートリッジ２９Ｋには、ブラック第１端子１２６Ｋが、側板１１６の前側下方に設けられている。イエロー現像カートリッジ２９Ｙには、イエロー第１端子１２６Ｙが、ブラック第１端子１２６Ｋが配置される部分よりも前側斜め上方に設けられている。マゼンタ現像カートリッジ２９Ｍには、マゼンタ第１端子１２６Ｍが、側板１１６の前側上方であって、イエロー第１端子１２６Ｙが配置される部分よりも前側斜め上方に設けられている。シアン現像カートリッジ２９Ｃには、シアン第１端子１２６Ｃが、イエロー第１端子１２６Ｙが配置される部分よりも上方であって、マゼンタ第１端子１２６Ｍが配置される部分よりも前側斜め上方に設けられている。
【０１１６】
なお、図４では、ブラック第１端子１２６Ｋの配置を実線で示し、イエロー第１端子１２６Ｙ、マゼンタ第１端子１２６Ｍおよびシアン第１端子１２６Ｃの配置を仮想線で示している。
【０１１７】
ＩＣメモリ１２５と第１端子１２６とは、配線１２７によって電気的に接続されている。配線１２７は、図２の点線で示すように、ＩＣメモリ１２５から、把持板１１２および左側の側板１１６を伝って、第１端子１２６へ接続されている。
【０１１８】
３．ドラムユニット
図８は、ドラムユニットの平面図、図９は、ドラムユニットの左側面図、図１０は、左側のサイドフレームの、カートリッジガイド溝よりも前側の部分の右側面図、図１１は、ドラムユニット（現像カートリッジの着脱途中状態）を左前上方から見た斜視図、図１２は、現像カートリッジ（取っ手が解除位置にある状態）が装着状態にあるドラムユニットの左側面図、図１３は、現像カートリッジ（取っ手が圧接位置にある状態）が装着状態にあるドラムユニットの左側面図である。
【０１１９】
次に、図８ないし図１３を参照して、ドラムユニットについて詳述する。
【０１２０】
このドラムユニット２６は、図８に示すように、前後方向に沿って並列配置され、各色に対応する４つのドラムサブユニット２８と、それら４つのドラムサブユニット２８の前後方向両側に配置されるフロントビーム１３１およびリヤビーム１３２と、フロントビーム１３１、４つのドラムサブユニット２８およびリヤビーム１３２を、幅方向（左右方向）の両側から挟む１対の側板１３３とを備えている。
【０１２１】
ドラムユニット２６は、４つのドラムサブユニット２８、フロントビーム１３１、リヤビーム１３２および１対の側板１３３が一体となって、本体ケーシング２内のドラム収容空間７（図１参照）に対してスライド自在に着脱される。
【０１２２】
（１）ドラムサブユニット
各ドラムサブユニット２８は、図８および図９に示すように、幅方向に間隔を隔てて対向配置される１対のサイドフレーム１３４と、両サイドフレーム１３４の間において幅方向に沿って架設されるセンタフレーム１３５とを備えている。
【０１２３】
（１−１）サイドフレーム
サイドフレーム１３４は、図１１に示すように、樹脂材料から平板形状に形成されている。サイドフレーム１３４には、現像カートリッジ２７のドラムサブユニット２８に対する着脱を案内するためのカートリッジガイド溝１３６が形成されている。
【０１２４】
カートリッジガイド溝１３６は、サイドフレーム１３４の後側上端縁から、サイドフレーム１３４の前側下端近傍まで、略上下方向に沿って形成されている。カートリッジガイド溝１３６の下端部（最深部）は、現像ローラ３９が感光ドラム２９と接触する位置における現像ローラ軸５１の位置に対応して配置されている。カートリッジガイド溝１３６には、カラー部材８５がスライド自在に受け入れられる。
【０１２５】
左側のサイドフレーム１３４には、カップリング受動ギヤ８７が幅方向において対向するカップリング内側挿通孔１３７が形成されている。
【０１２６】
サイドフレーム１３４の、カートリッジガイド溝１３６よりも前側の部分（前側部分１３８とする。）は、図１０に示すように、下方に向かって幅狭となる側面視略三角形状に形成されている。
【０１２７】
前側部分１３８において、前端部には、上方に向かって突出する突出部１５１が形成されており、突出部１５１の下方には、嵌合穴１４０が形成されている。嵌合穴１４０は、前側部分１３８の厚さ方向（幅方向）を貫通するように設けられ、現像カートリッジ２７の嵌合突起１０４に対して、側面視において、やや大きい相似形状に形成されている（図１３参照）。
【０１２８】
嵌合穴１４０の上端部の端面には、側面視において、前後方向中央部から、前後方向両外側に向かって次第に離間する、互いに角度の異なる上側前端面１４１および上側後端面１４２が形成されている。上側後端面１４２が水平方向（前後方向）に延び、その上側前端面１４１が下方に傾斜するように形成されている。
【０１２９】
また、前側部分１３８には、突出部１５１の前端部に形成される略Ｖ字部分１４４（以下、上側Ｖ字部分１４４とする。）と、嵌合穴１４０の内周面において、上側前端面１４１の前端部に形成される略Ｖ字部分１４５（以下、下側Ｖ字部分１４５とする。）との間に、突起ガイド溝１３９が形成されている。
【０１３０】
突起ガイド溝１３９は、側面視において、嵌合突起１０４の回動軌跡に沿う円弧形状に形成されており、前側部分１３８の内側面から幅方向外側へ凹状に窪む、樋状の通路として形成されている。
【０１３１】
突起ガイド溝１３９には、上側Ｖ字部分１４４の端面が、突起ガイド溝１３９の内側面から幅方向外側へ傾斜する上側傾斜面１４６として形成され、下側Ｖ字部分１４５の端面が、突起ガイド溝１３９の内側面から幅方向外側へ傾斜する下側傾斜面１４７として形成されている。
【０１３２】
（１−２）センターフレーム
センタフレーム１３５は、図８に示すように、樹脂材料から幅方向に延びる平板状に形成されている。センタフレーム１３５の上端部において、幅方向両端部には、現像カートリッジ２７の着脱を案内する支持ローラ１５６が設けられている。
【０１３３】
（１−３）第２端子および第３端子
各ドラムサブユニット２８は、図９および図１０に示すように、第１端子１２６および第３端子１７１（後述）と接触して、電気的に接続される第２端子１５２が、それぞれ設けられている。
【０１３４】
第２端子１５２は、左側の前側部分１３８に設けられ、内側端子１５３および外側端子１５４を備えている。
【０１３５】
内側端子１５３は、図１０に示すように、平板電極からなり、前側部分１３８の突起ガイド溝１３９の内側面に設けられている。内側端子１５３は、第１端子１２６が延びる方向と直交するように、前側下方から後側上方へ斜めに細長く延びる矩形状に形成されている。
【０１３６】
内側端子１５３は、突起ガイド溝１３９の内側面において、各色ごとに異なる位置に配置されている。具体的には、ブラックドラムサブユニット２８Ｋには、ブラック内側端子１５３Ｋが、ブラック第１端子１２６Ｋのみと接触するように、突起ガイド溝１３９の後側下方に設けられている。イエロードラムサブユニット２８Ｙには、イエロー内側端子１５３Ｙが、イエロー第１端子１２６Ｙのみと接触するように、ブラック内側端子１５３Ｋが配置される部分よりも前側斜め上方に設けられている。マゼンタドラムサブユニット２
８Ｍには、マゼンタ内側端子１５３Ｍが、マゼンタ第１端子１２６Ｍのみと接触するように、イエロー内側端子１５３Ｙが配置される部分よりも前側斜め上方に設けられている。シアンドラムサブユニット２８Ｃには、シアン内側端子１５３Ｃが、シアン第１端子１２６Ｃのみと接触するように、マゼンタ内側端子１５３Ｍが配置される部分よりも前側斜め上方に設けられている。
【０１３７】
なお、図１０では、ブラック内側端子１５３Ｋの配置を実線で示し、イエロー内側端子１５３Ｙ、マゼンタ内側端子１５３Ｍおよびシアン内側端子１５３Ｃの配置を仮想線で示している。
【０１３８】
外側端子１５４は、図９に示すように、平板電極からなり、前側部分１３８の上端部の外側面に設けられている。外側端子１５４は、嵌合穴１４０の前側において、前後方向に延びる矩形状に形成されている。具体的には、ブラックドラムサブユニット２８Ｋには、ブラック内側端子１５３Ｋと接続されるブラック外側端子１５４Ｋが設けられている。イエロードラムサブユニット２８Ｙには、イエロー内側端子１５３Ｙと接続されるイエロー外側端子１５４Ｙが設けられている。マゼンタドラムサブユニット２８Ｍには、マゼンタ内側端子１５３Ｍと接続されるマゼンタ外側端子１５４Ｍが設けられている。シアンドラムサブユニット２８Ｃには、シアン内側端子１５３Ｃが接続されるシアン外側端子１５４Ｃが設けられている。
【０１３９】
内側端子１５３と外側端子１５４とは、配線（図示せず）によって電気的に接続されている。配線（図示せず）は、内側端子１５３から、前側部分１３８の厚さ方向（幅方向）を貫通して、外側端子１５４へ接続されている。
【０１４０】
また、本体ケーシング２には、図８の仮想線で示すように、各外側端子１５４に対応する第３端子１７１が設けられている。
【０１４１】
第３端子１７１は、幅方向に可撓性を有する板バネ電極からなり、ドラムユニット２６がドラム収容空間７に収容されたときに、各外側端子１５４と幅方向外側から対向して接触するように、それぞれ配置されている。具体的には、ブラックドラムサブユニット２８Ｋと対向して、ブラック外側端子１５４Ｋと接触されるブラック第３端子１７１Ｋが配置されている。イエロードラムサブユニット２８Ｙと対向して、イエロー外側端子１５４Ｙと接触されるイエロー第３端子１７１Ｙが配置されている。マゼンタドラムサブユニット２８Ｍと対向して、マゼンタ外側端子１５４Ｍと接触されるマゼンタ第３端子１７１Ｍが配置されている。シアンドラムサブユニット２８Ｃと対向して、シアン外側端子１５４Ｃと接触されるシアン第３端子１７１Ｃが配置されている。
【０１４２】
各第３端子１７１は、本体ケーシング２に設けられる、制御部の一例としてのＣＰＵ１７２に電気的に接続されている。
【０１４３】
（２）フロントビーム
フロントビーム１３１は、樹脂材料から一体的に成形され、図８および図１１に示すように、最前のドラムサブユニット２８の前側に配置され、１対の側板１３３間に架設されている。フロントビーム１３１は、幅方向に沿って挿通される支持軸１５８と、その支持軸１５８に回転自在に支持される、正面視略Ｕ字形状の手前側把持部１５７とを備えている。
【０１４４】
（３）リヤビーム
リヤビーム１３２は、樹脂材料から一体的に成形され、最後のドラムサブユニット２８の後側に配置され、１対の側板１３３間に架設されている。リヤビーム１３２は、後方が
開放される平面視略コ字状に形成されており、その幅方向中央において、背面視略Ｕ字形状の奥側把持部１５９が一体的に設けられている。
【０１４５】
（４）側板
１対の側板１３３は、鋼板からなり、図８および図９に示すように、前後方向に延びる側面視略細長矩形板状に形成されている。１対の側板１３３は、フロントビーム１３１、４つのドラムサブユニット２８およびリヤビーム１３２を幅方向に挟んで、これら固定されている。
【０１４６】
各側板１３３の後端部には、その後端縁から側面視略Ｕ字状に切り欠かれた切欠部１６０が形成されている。切欠部１６０には、ドラムユニット２６が本体ケーシング２に装着されたときに、本体ケーシング２に設けられる位置決め軸（図示せず）が嵌合して、これによって、ドラムユニット２６が本体ケーシング２に対して位置決めされる。
【０１４７】
なお、左側の側板１３３には、各カップリング受動ギヤ８７に対応して、カップリング外側挿通孔１６３がそれぞれ形成されている。
【０１４８】
４．ドラムユニットに対する現像カートリッジの着脱
（１）ドラムユニットに対する現像カートリッジの装着
各現像カートリッジ２７をドラムユニット２６に装着するには、たとえば、各色に対応する現像カートリッジ２７の取っ手１０３の把持孔１１５に、把持手を入れて、取っ手１０３を把持する。このとき、取っ手１０３は、前側上方方向に揺動され、解除位置に配置される。
【０１４９】
続いて、図１１に示すように、ドラムユニット２６の上方から、その現像カートリッジ２７に対応するドラムサブユニット２８へ、把持した現像カートリッジ２７を装着する。
【０１５０】
具体的には、現像カートリッジ２７の各カラー部材８５を、対応するドラムサブユニット２８の各カートリッジガイド溝１３６に挿入して、そのカートリッジガイド溝１３６に沿って、現像カートリッジ２７をドラムサブユニット２８に対して斜め後側下方へ押し込む。
【０１５１】
現像ローラ３９が感光ドラム２９と接触すると、現像カートリッジ２７の押し込みが規制される。そして、現像カートリッジ２７は、自重によって、現像ローラ軸５１を中心として、その上端部が前側のセンタフレーム１３５にもたれる方向に倒れ、現像フレーム３６の位置決め突起９２が、センタフレーム１３５の支持ローラ１５６に当接して支持される。これによって、現像カートリッジ２７がドラムサブユニット２８に対して位置決めされる。
【０１５２】
次いで、取っ手１０３を解除位置（図６参照）から圧接方向へ揺動させると、図１２に示すように、後側傾斜面１１８が上側傾斜面１４６と摺動しながら、嵌合突起１０４が突起ガイド溝１３９内へ導かれる。このとき、嵌合突起１０４は、上側傾斜面１４６の傾斜方向に沿って幅方向内側へ移動するので、側板１１６は、各嵌合突起１０４の移動に従って幅方向内側へ撓む。
【０１５３】
そして、取っ手１０３を圧接方向へさらに揺動させると、嵌合突起１０４は、突起ガイド溝１３９と摺動しながら、突起ガイド溝１３９を通過し、前側傾斜面１１７が下側傾斜面１４７に対向する。
【０１５４】
さらに、取っ手１０３を圧接方向へ揺動させると、前側傾斜面１１７が下側傾斜面１４
７と摺動しながら、嵌合突起１０４が嵌合穴１４０内へ導かれる。このとき、嵌合突起１０４は、下側傾斜面１４７の傾斜方向に沿って幅方向外側へ移動するので、側板１１６は、嵌合突起１０４の移動に従って幅方向外側へ復元する。
【０１５５】
嵌合穴１４０内へ導かれた嵌合突起１０４は、図１３に示すように、嵌合穴１４０に嵌合して係止され、取っ手１０３が、圧接位置（図７参照）に配置される。これによって、現像カートリッジ２７がドラムユニット２６に対して装着される。
【０１５６】
このように取っ手１０３を、解除位置から圧接位置へ揺動させると、取っ手１０３の凹部１２１が当接部材１０７に接触して、当接部材１０７が凹部１２１から押圧される。すると、バネ１０２が、現像フレーム３６を、現像カートリッジ２７のドラムサブユニット２８に対する装着方向（以下、装着方向と省略する。）下流側に向けて押圧する。すると、現像ローラ３９が感光ドラム２９に対して圧接される。
【０１５７】
そして、嵌合突起１０４が嵌合穴１４０に係止されると、取っ手１０３の当接部材１０７に対する圧接状態が保持されるので、バネ１０２の押圧力による現像ローラ３９の感光ドラム２９に対する圧接状態が保持される。
【０１５８】
なお、この圧接状態において、現像カートリッジ２７を、現像カートリッジ２７のドラムサブユニット２８に対する離脱方向（以下、離脱方向と省略する。）下流側、つまり、斜め前側上方へ向けて、ドラムサブユニット２８から引き抜こうとしても、その離脱方向では、嵌合穴１４０の上側前端面１４１および上側後端面１４２と、嵌合突起１０４の前端面１１９および後端面１２０とが、それぞれ当接するので、それらの干渉により、現像カートリッジ２７のドラムサブユニット２８に対する離脱が阻止される。
【０１５９】
また、取っ手１０３が圧接位置に配置されると、側板１１６の幅方向外側への復元に伴って、図１３に示すように、第１端子１２６と内側端子１５３とが、圧接方向と直交する幅方向において互いに接触する。具体的には、第１端子１２６に対して、内側端子１５３が幅方向外側から接触する。さらに具体的には、揺動方向に沿って形成されている第１端子１２６に対して、内側端子１５３がそれと直交する方向において略十字状に接触する。これによって、第１端子１２６と第２端子１５２とが電気的に接続される。
【０１６０】
（２）ドラムユニットに対する現像カートリッジの離脱
一方、現像カートリッジ２７をドラムユニット２６から離脱させるには、まず、取っ手１０３を把持して、前側上方方向（押圧解除方向とする。）に揺動させる。すると、嵌合突起１０４の嵌合穴１４０に対する嵌合が解除され、前側傾斜面１１７が下側傾斜面１４７と摺動しながら、嵌合突起１０４が突起ガイド溝１３９内へ導かれる。このとき、嵌合突起１０４は、下側傾斜面１４７の傾斜方向に沿って幅方向内側へ移動するので、側板１１６は、嵌合突起１０４の移動に従って幅方向内側へ撓む。
【０１６１】
そして、取っ手１０３が、押圧解除方向へさらに揺動すると、嵌合突起１０４は、突起ガイド溝１３９に対して摺動しながら、突起ガイド溝１３９を通過し、後側傾斜面１１８が上側傾斜面１４６に対向する。
【０１６２】
さらに、取っ手１０３が、押圧解除方向へ揺動すると、後側傾斜面１１８が上側傾斜面１４６に摺接しながら、嵌合突起１０４が上側Ｖ字部分１４４の上方へ導かれる。このとき、嵌合突起１０４は、上側傾斜面１４６の傾斜方向に沿って幅方向外側へ移動するので、側板１１６は、嵌合突起１０４の移動に従って幅方向外側へ復元する。
【０１６３】
また、上記したように、取っ手１０３を押圧解除方向へ揺動させると、取っ手１０３の
圧接位置から解除位置への揺動により、取っ手１０３の凹部１２１が当接部材１０７から離間して、バネ１０２の現像ローラ３９に対する押圧が解除される。すると、現像ローラ３９の感光ドラム２９に対する圧接が解除される。
【０１６４】
その後、取っ手１０３を把持したまま、現像カートリッジ２７を離脱方向下流側に引き抜けば、カラー部材８５がカートリッジガイド溝１３６に沿って、斜め前側上方へ持ち上げられ、現像カートリッジ２７がドラムユニット２６から離脱される。
【０１６５】
５．本体ケーシングに対するドラムユニットの着脱
（１）本体ケーシングに対するドラムユニットの装着
すべての現像カートリッジ２７をドラムユニット２６に装着した後は、ドラムユニット２６を本体ケーシング２へ装着する。
【０１６６】
ドラムユニット２６を本体ケーシング２へ装着するには、まず、本体ケーシング２のフロントカバー８を前方に傾倒させて、ドラム収容空間７を開放する。
【０１６７】
次いで、手前側把持部１５７および奥側把持部１５９を把持し、ドラムユニット２６を持ち上げて、ドラムユニット２６をドラム収容空間７内へ挿入する。その後、奥側把持部１５９を離して、ドラムユニット２６を、ドラム収容空間７内へ、前側から後側に向かって押し込む。すると、ドラムユニット２６は、ドラム収容空間７内において、図示しないガイドレールに案内されて、前後方向に沿って挿入される。
【０１６８】
そして、側板１３３の切欠部１６０が、本体ケーシング２に設けられる位置決め軸（図示せず）に嵌合することにより、ドラムユニット２６が本体ケーシング２に対して位置決めされる。これによって、ドラムユニット２６が本体ケーシング２へ装着され、ドラムユニット２６はドラム収容空間７内に収容される。
【０１６９】
その後、フロントカバー８を本体ケーシング２の前面に沿って起立させて、ドラム収容空間７を閉鎖する。
【０１７０】
ドラムユニット２６がドラム収容空間７内に収容されると、図８に示すように、各外側端子１５４と各第３端子１７１とが、幅方向において互いに接触して、各第２端子１５２と各第３端子１７１とが電気的に接続される。
【０１７１】
これによって、本体ケーシング２内に設けられるＣＰＵ１７２は、第３端子１７１、第２端子１５２および第１端子１２６を介して、現像カートリッジ２７に設けられるＩＣメモリ１２５に電気的に接続される。そして、ＩＣメモリ１２５に記憶されている情報は、ＣＰＵ１７２によって読み取られる。
【０１７２】
（２）本体ケーシングに対するドラムユニットの離脱
ドラムユニット２６を本体ケーシング２から離脱させるには、まず、本体ケーシング２のフロントカバー８を前方に傾倒させて、ドラム収容空間７を開放する。
【０１７３】
次いで、手前側把持部１５７を把持し、ドラムユニット２６を後側から前側に向かって引き抜く。すると、ドラムユニット２６は、ドラム収容空間７内において、図示しないガイドレールに案内されて、前後方向に沿って引き抜かれるので、ドラムユニット２６がドラム収容空間７から露出したときに、奥側把持部１５９も把持して、ドラムユニット２６を持ち上げる。これによって、ドラムユニット２６が本体ケーシング２から離脱される。
【０１７４】
６．実施形態の作用効果
（１）上記したように、このカラーレーザプリンタ１では、現像カートリッジ２７のドラムサブユニット２８に対する装着時には、現像ローラ３９が感光ドラム２９に圧接される。また、現像ローラ３９を感光ドラム２９に圧接させると、各第１端子１２６と各第２端子１５２とが電気的に接続される。つまり、各第１端子１２６と各第２端子１５２とは、現像ローラ３９の感光ドラム２９に対する圧接によって電気的に接続される。
【０１７５】
そのため、各第１端子１２６と各第２端子１５２との電気的な接続に起因して、現像ローラ３９の感光ドラム２９に対する圧接が阻害されることがなく、現像ローラ３９の感光ドラム２９に対する良好な現像を達成することができる。
【０１７６】
また、このカラーレーザプリンタ１では、簡易な構成により、各第１端子１２６と各第２端子１５２とを確実に電気的に接続することができ、さらには、ドラムユニット２６を本体ケーシング２に装着させると、各第２端子１５２と各第３端子１７１とを確実に電気的に接続することができるので、ＩＣメモリ１２５からの情報をＣＰＵ１７２によって確実に読み取ることができる。
【０１７７】
（２）また、現像カートリッジ２７では、第１端子１２６が取っ手１０３に設けられている。そのため、取っ手１０３を解除位置から圧接位置へ揺動させれば、第１端子１２６の第２端子１５２に対する電気的な接続を確実に図ることができる。また、取っ手１０３を圧接位置から解除位置へ揺動させれば、第１端子１２６の第２端子１５２に対する電気的な接続の解除を確実に図ることができる。その結果、取っ手１０３を解除位置と圧接位置とに揺動させる簡易な操作により、第１端子１２６の第２端子１５２に対する電気的な接続およびその解除を確実に図ることができる。
【０１７８】
（３）具体的には、取っ手１０３を掴んで、把持板１１２の前側を上壁８４に対して近接させれば、第１端子１２６と第２端子１５２とを電気的に接続することができ、把持板１１２の前側を上壁８４に対して離間させれば、第１端子１２６と第２端子１５２との電気的な接続を解除することができる。その結果、取っ手１０３を揺動させる簡易な操作により、第１端子１２６の第２端子１５２に対する電気的な接続およびその解除を確実に図ることができる。
【０１７９】
さらに、第１端子１２６が取っ手１０３に設けられていれば、第１端子１２６を別途支持する部材を設ける必要がなく、部品点数の低減を図ることができる。
【０１８０】
（４）また、取っ手１０３が圧接位置に配置されると、側板１１６の幅方向外側への復元に伴って、第１端子１２６と内側端子１５３とが、圧接方向と直交する幅方向において互いに接触する。そのため、第１端子１２６と内側端子１５３との接触が、現像ローラ３９の感光ドラム２９に対する圧接に影響を与えることを防止することができる。その結果、現像ローラ３９の感光ドラム２９に対する良好な現像を達成することができる。
【０１８１】
（５）具体的には、第１端子１２６に対して、内側端子１５３が幅方向外側から接触する。そのため、第２端子１５２の第１端子１２６に対する確実な接触を図ることができる。
【０１８２】
（６）また、取っ手１０３が圧接位置に配置されると、揺動方向に沿って形成されている第１端子１２６に対して、内側端子１５３がそれと直交する方向において略十字状に接触する。たとえば、第１端子１２６と内側端子１５３とが同一方向で接触する場合には、それらが互いに少しでも位置ずれると接触しない場合がある。しかし、このように、第１端子１２６と内側端子１５３とを略十字状に交差するように接触させれば、それらが互いに少し位置ずれしても、互いの接触を確保することができる。
【０１８３】
（７）また、このカラーレーザプリンタ１では、各第１端子１２６と各内側端子１５３との接触位置は、色ごとに異なる位置に配置されている。そのため、ある色に対応するドラムサブユニット２８に対して、異なる色に対応する現像カートリッジ２７が誤って装着されたときには、その現像カートリッジ２７の第１端子１２６は、内側端子１５３に対して異なる位置に配置されて、それらの接触が防止される。その結果、誤って、異なる色に対応する現像カートリッジ２７が装着されたときの、第１端子１２６と内側端子１５３との電気的な接続を、簡易かつ確実に防止することができる。
【０１８４】
（８）また、現像カートリッジ２７では、第１端子１２６は、把持板１１２ではなく側板１１６に設けられている。そのため、把持板１１２の把持孔１１５に、把持手を入れて、取っ手１０３を把持するときに、把持手が第１端子１２６に接触することを防止することができる。
【０１８５】
（９）また、第１端子１２６は、取っ手１０３の揺動方向に沿って設けられている。そのため、取っ手１０３を揺動させたときに、第１端子１２６が一定の位置でかつ広い範囲で内側端子１５３と接触することができる。その結果、第１端子１２６の電気的な接続を確実に図ることができる。
【０１８６】
７．変形例
（１）変形例１
上記の説明では、現像カートリッジ２７をドラムサブユニット２８に装着するときに、取っ手１０３を把持して圧接方向に揺動させることにより、取っ手１０３を解除位置から圧接位置へ揺動させたが、現像カートリッジ２７をドラムサブユニット２８に装着するときには、取っ手１０３を圧接方向に揺動させずに、たとえば、図１４に示すように、ドラムユニット２６を本体ケーシング２のドラム収容空間７へ装着するときに、取っ手１０３をドラム収容空間７内のスキャナケーシング２４の前壁面に当接させることにより、取っ手１０３を圧接方向に揺動させることにより、取っ手１０３を解除位置から圧接位置へ揺動させることもできる。
【０１８７】
より具体的には、まず、４つの現像カートリッジ２７を対応する各ドラムサブユニット２８に装着した後、手前側把持部１５７および奥側把持部１５９を把持し、ドラムユニット２６をドラム収容空間７へ前側から後側に向けて押し込む。すると、各現像カートリッジ２７の取っ手１０３は、ドラムユニット２６のドラム収容空間７への挿入に伴って、順次、ドラム収容空間７内のスキャナケーシング２４の前壁面に当接し、その前壁面に押圧されることにより、圧接方向へ揺動され、解除位置から圧接位置へ揺動する。そして、嵌合突起１０４が嵌合穴１４０に係止される。
【０１８８】
このようにして、取っ手１０３を解除位置から圧接位置へ揺動させれば、現像カートリッジ２７をドラムサブユニット２８に装着するときに、取っ手１０３を圧接方向に揺動させることを失念した場合でも、ドラムユニット２６を本体ケーシング２のドラム収容空間７へ挿入するときには、取っ手１０３が必ず圧接方向へ揺動して解除位置から圧接位置へ揺動するので、第１端子１２６の第２端子１５２に対する電気的な接続を確実に図ることができる。
【０１８９】
（２）変形例２
また、上記の説明では、第１端子１２６を左側の側板１１６に設け、内側端子１５３を突起ガイド溝１３９の内側面に設けて、取っ手１０３が圧接位置に配置されているときには、それらが常に接触するようにしているが、たとえば、図４の点線で示すように、第１端子１２６を、嵌合突起１０４の後側傾斜面１１８に設け、図１０の点線で示すように、
内側端子１５３を、前側部分１３８の上側傾斜面１４６に設けて、それらを、取っ手１０３が揺動している間、つまり、現像ローラ３９の感光ドラム２９に対する圧接動作時にのみ、接触させることもできる。
【０１９０】
この場合には、第１端子１２６と内側端子１５３とが、常に接触することなく、それらは、取っ手１０３の解除位置と圧接位置との間の揺動において、後側傾斜面１１８が上側傾斜面１４６と摺動するときにのみ、接触する。そして、それらが接触したタイミングで、ＣＰＵ１７２が、第３端子１７１、第２端子１５２および第１端子１２６を介して、ＩＣメモリ１２５に電気的に接続され、ＩＣメモリ１２５に記憶されている情報が、ＣＰＵ１７２によって読み取られる。そして、取っ手１０３が圧接位置に配置されているときには、それらは互いに離間して配置される。
【０１９１】
（３）変形例３
さらに、たとえば、図１５および図１６に示すように、現像カートリッジ２７がドラムサブユニット２８に装着されている間は、第１端子１２６と第２端子１５２とを常に接触させるとともに、取っ手１０３が解除位置に配置されているときには、ＩＣメモリ１２５と第１端子１２６との電気的な接続が遮断され、取っ手１０３が圧接位置に配置されているときには、ＩＣメモリ１２５と第１端子１２６との電気的な接続が図れるように、することもできる。
【０１９２】
図１５は、現像カートリッジの他の実施形態の断面図（無押圧状態）、図１６は、現像カートリッジの他の実施形態の断面図（押圧状態）を示す。なお、図１５および図１６において、上記した部材と同様の部材には、同一の符号を付し、その説明を省略する。
【０１９３】
図１５および図１６に示す実施形態では、ＩＣメモリ１２５は、上壁８４に設けられている。また、第１端子１２６は、その表面が露出するように、位置決め突起９２に埋設されている。
【０１９４】
また、ドラムサブユニット２８の支持ローラ１５６は、導電性樹脂からなり、ＣＰＵ１７２に電気的に接続されている。この支持ローラ１５６は、第２端子１５２と兼用されている。
【０１９５】
また、バネ収容筒部１０５の係止溝１０６の内周面には、中継端子１２９が設けられている。中継端子１２９は、２つの係止溝１０６の内周面の下側略半分部分に、それぞれ設けられている。また、当接部材１０７は、弾性部材の一例であって、導電性樹脂から形成されている。
【０１９６】
ＩＣメモリ１２５と一方の中継端子１２９とが、配線１３０を介して電気的に接続されている。また、他方の中継端子１２９と第１端子１２６とが、配線１３０を介して電気的に接続されている。
【０１９７】
そして、図１５および図１６に示す実施形態では、上記したように、位置決め突起９２が支持ローラ１５６に当接して、現像カートリッジ２７がドラムサブユニット２８に対して位置決めされると、その位置決めにより、第１端子１２６と第２端子１５２とが接触して、電気的に接続される。
【０１９８】
一方、このとき、取っ手１０３は解除位置に配置されており、当接部材１０７の爪部１１０は、図１５に示すように、係止溝１０６の上端部に係止され、各中継端子１２９とは離間されている。そのため、ＩＣメモリ１２５と第１端子１２６とは、配線１３０の途中に設けられる当接部材１０７において、電気的な接続が遮断されている。
【０１９９】
次いで、取っ手１０３を解除位置から圧接位置へ揺動させると、図１６に示すように、当接部材１０７は、取っ手１０３から押圧されて、バネ１０２の押圧力に抗して下方へ移動し、爪部１１０が各中継端子１２９と接触する。すると、ＩＣメモリ１２５と第１端子１２６との間の配線１３０の導通が許容されて、ＩＣメモリ１２５と中継端子１２９とは、配線１３０、一方の中継端子１２９、当接部材１０７、他方の中継端子１２９および配線１３０を介して、電気的に接続される。
【０２００】
なお、取っ手１０３を圧接位置から解除位置へ揺動させると、図１５に示すように、当接部材１０７は、取っ手１０３からの押圧が解除されて、バネ１０２の押圧力によって上方へ移動し、爪部１１０が各中継端子１２９から離間する。すると、ＩＣメモリ１２５と第１端子１２６との間の配線１３０の導通が遮断されて、ＩＣメモリ１２５と中継端子１２９との電気的な接続が、当接部材１０７によって遮断される。
【０２０１】
つまり、図１５および図１６に示す実施形態では、取っ手１０３を解除位置から圧接位置へ揺動させれば、当接部材１０７が押圧されて、配線１３０が導通される。それによって、ＩＣメモリ１２５と第１端子１２６との電気的な接続を図ることができる。また、取っ手１０３を圧接位置から解除位置へ揺動させれば、当接部材１０７の押圧が解除されて、配線１３０の導通が遮断される。それによって、ＩＣメモリ１２５と第１端子１２６との電気的な接続を遮断することができる。その結果、簡易な操作により、ＩＣメモリ１２５と第１端子１２６との電気的な接続およびその解除を確実に図ることができる。
【０２０２】
（４）変形例４
また、上記の説明では、画像形成装置として、タンデム型のカラーレーザプリンタを例示したが、本考案の感光体ユニットおよび現像カートリッジが装着される画像形成装置には、上記に限定されることなく、たとえば、各色の現像剤像を各感光体から一旦中間転写体に転写し、その後記録媒体に一括転写する中間転写型のカラーレーザプリンタや、モノクロのレーザプリンタなどが含まれる。
【０２０３】
さらに、上記のカラーレーザプリンタ１では、スキャナ部２０を備えて、感光ドラム２９に形成される静電潜像をレーザ露光しているが、たとえば、露光装置は、上記したスキャナ部２０に限定されることはなく、たとえば、ＬＥＤ（発光ダイオード）、ＥＬ（エレクトロ・ルミネッセンス）素子、蛍光体などの発光素子を多数配列し、これら発光素子を画像データに応じて選択的に発光させるもの、あるいは、液晶素子、ＰＬＺＴなどからなる光シャッタを多数配列し、これら光シャッタの開閉時間を画像データに応じて選択的に制御することにより、光源からの光を制御するものなどを、適宜採用することができる。
【符号の説明】
【０２０４】
１      カラーレーザプリンタ
２      本体ケーシング
２２    現像カートリッジ
２６    ドラムユニット
２７    現像カートリッジ
２８    ドラムサブユニット
２９    感光ドラム
３６    現像フレーム
３９    現像ローラ
１０３  取っ手
１０７  当接部材
１１２  把持板
１１６  側板
１２５  ＩＣメモリ
１２６  第１端子
１２７  配線
１３０  配線
１５２  第２端子
１５３  内側端子
１５４  外側端子
１７１  第３端子
１７２  ＣＰＵ 
【図１】
0003162417.tif 000003
【図２】
0003162417.tif 000004
【図３】
0003162417.tif 000005
【図４】
0003162417.tif 000006
【図５】
0003162417.tif 000007
【図６】
0003162417.tif 000008
【図７】
0003162417.tif 000009
【図８】
0003162417.tif 000010
【図９】
0003162417.tif 000011
【図１０】
0003162417.tif 000012
【図１１】
0003162417.tif 000013
【図１２】
0003162417.tif 000014
【図１３】
0003162417.tif 000015
【図１４】
0003162417.tif 000016
【図１５】
0003162417.tif 000017
【図１６】
0003162417.tif 000018